(57)【特許請求の範囲】
【請求項１】
一方向へ移動する第１の清掃部材と、
一方向へ移動する前記第１の清掃部材により清掃される第１の電極と、
前記第１の清掃部材と共に前記一方向へ移動するとともに、移動に際し、前記一方向における下流側に位置する下流側端部を先頭として移動を行い且つ上流側端部が当該下流側端部に続くように移動を行う第２の清掃部材と、
移動する前記第２の清掃部材により清掃され複数の貫通孔を備えた第１の領域と、前記一方向において当該第１の領域よりも下流側に位置し複数の貫通孔を備え単位面積当たりの貫通孔の形成割合が当該第１の領域よりも小さい第２の領域と、を備える第２の電極と、
前記第１の清掃部材および前記第２の清掃部材が取り付けられ、前記一方向へ移動するとともに、当該第２の清掃部材の前記上流側端部が前記第２の領域に達する前に予め定められた箇所に接触して当該予め定められた箇所から駆動力を受け、当該駆動力を用い、当該第１の清掃部材を前記第１の電極から離間させる移動体と、
を備え、
前記予め定められた箇所に前記移動体が接触した状態で当該移動体が前記一方向へ移動するように構成され、
前記予め定められた箇所に前記移動体が接触した状態で当該移動体が前記一方向へ移動している際、前記第２の領域の前記貫通孔が形成されている箇所に、前記第２の清掃部材が接触する帯電装置。
【請求項２】
前記移動体は、一方向へ移動する前記第２の清掃部材の前記下流側端部が前記第２の領域に達する前に前記予め定められた箇所に接触する請求項１に記載の帯電装置。
【請求項３】
像保持体と、当該像保持体を帯電する帯電装置と、当該帯電装置により帯電された像保持体を露光し当該像保持体に静電潜像を形成する露光装置と、当該露光装置により形成された静電潜像を現像する現像装置と、を備え、当該帯電装置が請求項１又は２の何れかに記載の帯電装置により構成された画像形成装置。
【発明の詳細な説明】
【技術分野】
【０００１】
本発明は、帯電装置および画像形成装置に関する。
【背景技術】
【０００２】
特許文献１には、清掃パッドを往復駆動する移送棒に、可変抵抗器を連結して、清掃パッドの位置を表わす信号を発生する装置が開示されている。
特許文献２には、ねじ軸の清掃部材側にかかる負荷に応じて自動的に動力伝達を接断する構成が開示されている。
【先行技術文献】
【特許文献】
【０００３】
【特許文献１】特開平１０−９０９７９号公報
【特許文献２】特開平５−２８１８３９号公報
【発明の概要】
【発明が解決しようとする課題】
【０００４】
清掃部材が取り付けられた移動体を移動させて電極を清掃するにあたり、移動体に作用する複数の抗力の各々がこの移動体に作用する際のタイミングが近いと、複数の抗力が合わさり、移動体に作用する抗力が大きくなる。移動体に作用する抗力が大きいと、移動体の動きが不安定となる。また、移動体に作用する抗力が大きいと、移動体が停止するおそれもある。
本発明の目的は、清掃部材を備えた移動体に作用する抗力が移動体に作用する際のタイミングをずらすことにある。
【課題を解決するための手段】
【０００５】
請求項１に記載の発明は、一方向へ移動する第１の清掃部材と、一方向へ移動する前記第１の清掃部材により清掃される第１の電極と、前記第１の清掃部材と共に前記一方向へ移動するとともに、移動に際し、前記一方向における下流側に位置する下流側端部を先頭として移動を行い且つ上流側端部が当該下流側端部に続くように移動を行う第２の清掃部材と、移動する前記第２の清掃部材により清掃され複数の貫通孔を備えた第１の領域と、前記一方向において当該第１の領域よりも下流側に位置し複数の貫通孔を備え単位面積当たりの貫通孔の形成割合が当該第１の領域よりも小さい第２の領域と、を備える第２の電極と、前記第１の清掃部材および前記第２の清掃部材が取り付けられ、前記一方向へ移動するとともに、当該第２の清掃部材の前記上流側端部が前記第２の領域に達する前に予め定められた箇所に接触して当該予め定められた箇所から駆動力を受け、当該駆動力を用い、当該第１の清掃部材を前記第１の電極から離間させる移動体と、を備え、前記予め定められた箇所に前記移動体が接触した状態で当該移動体が前記一方向へ移動するように構成され、前記予め定められた箇所に前記移動体が接触した状態で当該移動体が前記一方向へ移動している際、前記第２の領域の前記貫通孔が形成されている箇所に、前記第２の清掃部材が接触する帯電装置である。
請求項２に記載の発明は、前記移動体は、一方向へ移動する前記第２の清掃部材の前記下流側端部が前記第２の領域に達する前に前記予め定められた箇所に接触する請求項１に記載の帯電装置である。
請求項３に記載の発明は、像保持体と、当該像保持体を帯電する帯電装置と、当該帯電装置により帯電された像保持体を露光し当該像保持体に静電潜像を形成する露光装置と、当該露光装置により形成された静電潜像を現像する現像装置と、を備え、当該帯電装置が請求項１又は２の何れかに記載の帯電装置により構成された画像形成装置である。
【発明の効果】
【０００６】
請求項１の発明によれば、清掃部材を備えた移動体に作用する抗力が移動体に作用する際のタイミングをずらすことができる。
請求項２の発明によれば、第２の清掃部材の下流側端部が第２の領域に達した後に、予め定められた箇所に移動体が接触する場合に比べ、移動体をより円滑に移動させることが可能になる。
請求項３の発明によれば、清掃部材を備えた移動体に作用する抗力が移動体に作用する際のタイミングをずらすことができる。
【図面の簡単な説明】
【０００７】
【図１】本実施形態の画像形成装置の構成例を示した図である。
【図２】帯電装置を拡大して示した図である。
【図３】帯電装置の斜視図である。
【図４】帯電装置の内部構造を示した図である。
【図５】前後方向と直交する方向に沿う面における帯電装置の断面図である。
【図６】前後方向に沿う面における帯電装置の断面図である。
【図７】移動体が前方に移動した後の状態を示した図である。
【図８】図７の矢印ＶＩＩＩ方向からグリッド電極を眺めた場合の図である。
【図９】移動体がホームポジションに戻る際の移動体を示した図である。
【図１０】帯電装置の他の構成例を示した図である。
【図１１】グリッド電極の他の構成例を示した図である。
【図１２】グリッド電極の他の構成例を示した図である。
【発明を実施するための形態】
【０００８】
以下、添付図面を参照して、本発明の実施の形態について詳細に説明する。
図１は、本実施形態の画像形成装置１の構成例を示した図である。
図１に示す画像形成装置１は、所謂タンデム型のカラープリンタであり、画像データに基づき画像形成を行う画像形成部１０を備える。また、画像形成装置１には、主制御部５０が設けられている。
【０００９】
主制御部５０は、プログラム制御されたＣＰＵ（Central Processing Unit）により構成され、画像形成装置１に設けられた各装置、各機能部の動作制御や、パーソナルコンピュータ等との通信や、画像データに対する処理などを行う。
さらに、画像形成装置１には、ユーザからの操作入力の受付やユーザに対する各種情報の表示を行うユーザインターフェース部３０が設けられている。
【００１０】
画像形成手段の一例としての画像形成部１０は、例えば電子写真方式により画像を形成する機能部であり、イエロー（Ｙ）の画像形成ユニット１１Ｙ、マゼンタ（Ｍ）の画像形成ユニット１１Ｍ、シアン（Ｃ）の画像形成ユニット１１Ｃ、および、黒（Ｋ）の画像形成ユニット１１Ｋ、の４つの画像形成ユニットを備える。
なお、以下の説明において、各画像形成ユニットを特に区別しない場合には、「画像形成ユニット１１」と称する。
【００１１】
画像形成ユニット１１Ｙ、画像形成ユニット１１Ｍ、画像形成ユニット１１Ｃ、画像形成ユニット１１Ｋの各画像形成ユニット１１は、それぞれ、イエローのトナー像、マゼンタのトナー像、シアンのトナー像、黒のトナー像を形成する。
【００１２】
各画像形成ユニット１１には、像保持体の一例としての感光体ドラム１２が設けられている。感光体ドラム１２は、円筒状に形成され、外周面上に形成されるトナー像を保持する。より具体的には、本実施形態では、感光体ドラム１２の表面に静電潜像が形成され、次いで、トナーによる現像が行われる。これにより、感光体ドラム１２の表面にトナー像が形成され、このトナー像が、感光体ドラム１２により一時的に保持される。
また、各画像形成ユニット１１には、感光体ドラム１２の表面を帯電する帯電装置１３、帯電装置１３により帯電された感光体ドラム１２を画像データに基づいて露光する露光装置１４が設けられている。
【００１３】
さらに、各画像形成ユニット１１には、感光体ドラム１２上に形成された静電潜像を各色トナーにより現像する現像装置１５、転写後の感光体ドラム１２の表面を清掃するクリーナ１６１が設けられている。
なお、各画像形成ユニット１１は、現像装置１５に収容されるトナーを除いて同様に構成されている。
【００１４】
また、画像形成部１０には、各画像形成ユニット１１の感光体ドラム１２に形成された各色トナー像が転写される中間転写ベルト７０、各画像形成ユニット１１にて形成された各色トナー像を中間転写ベルト７０に転写（一次転写）する一次転写ロール７１が設けられている。
【００１５】
また、画像形成部１０には、中間転写ベルト７０上に重畳して転写された各色トナー像を、用紙などの記録材Ｐに対して一括転写（二次転写）する二次転写ロール７２が設けられている。さらに、二次転写された各色トナー像を記録材Ｐ上に定着する定着装置６０が設けられている。
なお、本実施形態では、二次転写ロール７２が配置され、中間転写ベルト７０上の各色トナー像が記録材Ｐに二次転写される領域を、以下、二次転写領域Ｔｒという。
【００１６】
画像形成装置１の動作を説明する。
画像形成にあたっては、画像形成ユニット１１の各々が、電子写真プロセスにより、黒、シアン、マゼンタ、イエローの各色トナー像を形成する。
【００１７】
各画像形成ユニット１１にて形成された各色トナー像は、一次転写ロール７１により中間転写ベルト７０上に順に一次転写され、各色トナーが重畳されたトナー像が中間転写ベルト７０上に形成される。
中間転写ベルト７０上のトナー像は、中間転写ベルト７０の移動に伴って二次転写ロール７２が配置された二次転写領域Ｔｒに搬送される。
【００１８】
記録材搬送系では、記録材収容容器４０から繰出しロール４１により繰り出された記録材Ｐが、搬送路に沿って搬送され、二次転写領域Ｔｒに到達する。
二次転写領域Ｔｒでは、二次転写ロール７２により形成された転写電界によって、中間転写ベルト７０上のトナー像が記録材Ｐに一括して二次転写される。
【００１９】
その後、トナー像が転写された記録材Ｐは、中間転写ベルト７０から分離され、搬送路に沿って定着装置６０に搬送される。
定着装置６０に搬送された記録材Ｐ上のトナー像は、定着装置６０により記録材Ｐに定着される。その後、この記録材Ｐは、記録材排出部１Ａまで搬送される。
【００２０】
図２は、帯電装置１３を拡大して示した図である。また、図３は、帯電装置１３の斜視図である。図２、図３を用い、帯電装置１３について説明する。
図２に示すように、帯電装置１３には、画像形成装置１（図１参照）の前後方向に延び（画像形成装置１の奥行方向に延び、図２の紙面と直交する方向に延び）、感光体ドラム１２側が開放されたシールド電極２が設けられている。言い換えると、帯電装置１３には、感光体ドラム１２の軸方向に沿って延びるシールド電極２が設けられている。
【００２１】
シールド電極２は、金属材料により形成されている。また、シールド電極２には、画像形成装置１の前後方向に延びる板状の上壁部２ａ、上壁部２ａの左右両側から下方に延びる板状の左壁部２ｂ、右壁部２ｃが設けられている。
【００２２】
図３に示すように、シールド電極２の後端（一方の端部）には、後端ブロック３が取り付けられ、シールド電極２の前端（他方の端部）には、前端ブロック４が取り付けられている。
後端ブロック３、前端ブロック４の各々には（後端ブロック３、前端ブロック４の図中右上部には）、前後方向に延びる筒状のシャフト受け部３ａ，４ａが設けられている。
【００２３】
本実施形態では、シャフト受け部３ａ，４ａによって、前後方向に延びるシャフト６が回転可能な状態で支持される。回転部材の一例としてのこのシャフト６の外周面には、螺旋状の突出部（雄ネジ）６ａが形成されている。
シャフト６の後端部は、シャフト受け部３ａの内部を通って後方に延び、シャフト６の後端部には、従動カップリング７が取り付けられている。従動カップリング７は、画像形成装置１の本体側に設けられた駆動カップリング８に連結される。
本実施形態では、従動カップリング７が駆動カップリング８から駆動力を受けることで、シャフト６が周方向に回転する。
【００２４】
図２に示すように、シールド電極２の内部にはワイヤ電極１１１が設けられている。
第１の電極の一例としてのこのワイヤ電極１１１は、感光体ドラム１２の外周面に対向するように配置され、また、感光体ドラム１２の軸方向に沿うように配置されている。
さらに、このワイヤ電極１１１は、線材により構成されている。また、ワイヤ電極１１１は、前後方向における一方の端部が前端ブロック４（図３参照）に固定され、他方の端部が後端ブロック３に固定されている。
【００２５】
さらに、図２に示すように、シールド電極２の開口部２ｄには、グリッド電極２９が設けられている。
第２の電極の一例としてのこのグリッド電極２９は、前後方向（感光体ドラム１２の軸方向）に延びるように配置されている。さらに、グリッド電極２９は、薄膜状（板状）の金属により形成されている。
【００２６】
グリッド電極２９には、多数の貫通孔が形成され、この多数の貫通孔が形成された部分は、網目状となっている。また、グリッド電極２９は、前端ブロック４（図３参照）および後端ブロック３により支持されている。
さらに、グリッド電極２９は、前端ブロック４および後端ブロック３によって、長手方向に引っ張られ、グリッド電極２９には、張力が付与されている。
【００２７】
本実施形態では、ワイヤ電極１１１とシールド電極２との間に、また、ワイヤ電極１１１とグリッド電極２９との間に電圧が印加され、ワイヤ電極１１１とシールド電極２との間に電位差が生じ、ワイヤ電極１１１とグリッド電極２９との間に電位差が生じる。これにより、ワイヤ電極１１１から電子が放出され、感光体ドラム１２の表面が帯電される。
【００２８】
図４は、帯電装置１３の内部構造を示した図である。図５は、前後方向と直交する方向に沿う面における帯電装置１３の断面図である。図６は、前後方向に沿う面における帯電装置１３の断面図である。
【００２９】
図４に示すように、本実施形態では、ワイヤ電極１１１に沿って（前後方向に沿って）移動する移動体１００が設けられている。
この移動体１００は、シールド電極２とグリッド電極２９との間に配置されている。また、移動体１００は、上スライダフレーム１７、下スライダフレーム２１等により構成されている。
【００３０】
さらに、移動体１００には、シャフト６が貫通する円筒状のシャフト貫通部１９、シャフト貫通部１９と上スライダフレーム１７とを連結する連結部１８が設けられている。
図５に示すように、シャフト貫通部１９の内周面には、この内周面から突出するように設けられ、突出部６ａ間に入り込む被押圧部１９ａが設けられている。
本実施形態では、シャフト６が回転すると、この被押圧部１９ａが突出部６ａにより押圧される。これにより、移動体１００が、前後方向に沿って（シャフト６の長手方向に沿って）移動する。
【００３１】
図４では、移動体１００がホームポジションに位置する状態を示している。
この状態からシャフト６が一方向に回転すると、移動体１００は図中矢印４Ａに示す方向へ移動する。また、シャフト６が逆方向に回転すると、移動体１００は図中矢印４Ｂに示す方向へ移動する。
本実施形態では、この矢印４Ａに示す方向への移動体１００の移動、矢印４Ｂに示す方向への移動体１００の移動によって、ワイヤ電極１１１、グリッド電極２９が清掃される。
【００３２】
図６に示すように、移動体１００の内部には、ワイヤ電極１１１を下方から清掃する下側電極クリーナ１６が設けられている。この下側電極クリーナ１６は、下スライダフレーム２１によって下方から支持されている。
【００３３】
さらに、移動体１００には、第２の清掃部材の一例としてのグリッドクリーナ２０が設けられている。グリッドクリーナ２０は、グリッド電極２９に接触し、グリッド電極２９の清掃を行う。グリッドクリーナ２０は、例えば、清掃用の毛が基布に植毛されたいわゆるブラシ状の部材により構成される。なお、ブラシ状に限らず、布状など、他の形状としてもよい。
【００３４】
また、図６に示すように、移動体１００には、ワイヤ電極１１１に対向して配置された下ワイヤクリーナ２２が設けられている。
本実施形態では、図６に示すように、移動体１００が基準位置であるホームポジションに位置する状態では、下側電極クリーナ１６、下ワイヤクリーナ２２は、ワイヤ電極１１１から離間する。
【００３５】
また、下スライダフレーム２１の下面には、下方に延びる板状の被検知部２１ｂが設けられている。また、帯電装置１３の本体１３Ａ側には、被検知部２１ｂを検知するセンサＳＮ１が配置されている。このセンサＳＮ１は、ホームポジションに設けられており、センサＳＮ１が被検知部２１ｂを検知することで、移動体１００がホームポジションに位置することが検知される。
【００３６】
また、移動体１００内には、前後方向と直交する方向に沿って延びる軸部２３が設けられている。この軸部２３により、上クリーナ支持体２４が支持されている。
上クリーナ支持体２４には、回転可能な状態で軸部２３により支持される一対のアームプレート部２４ｂ（図６では一方のアームプレート部２４ｂのみを図示）が設けられている。一方のアームプレート部２４ｂは、軸部２３の一方の端部により支持され、他方のアームプレート部は、軸部２３の他方の端部により支持されている。
さらに、上クリーナ支持体２４には、一対のアームプレート部２４ｂの先端に取り付けられ、前後方向と直交する方向に沿って延びるクリーナ支持部２４ｃが設けられている。
【００３７】
クリーナ支持部２４ｃの下面には、上ワイヤクリーナ２６が取り付けられている。
第１の清掃部材の一例としてのこの上ワイヤクリーナ２６は、ワイヤ電極１１１の上方からワイヤ電極１１１に接触して、ワイヤ電極１１１の清掃を行う。
【００３８】
アームプレート部２４ｂの下部には、下方に向かって突出したプレート突出部２４ｄが設けられている。
また、後端ブロック３には（帯電装置１３の本体１３Ａ側には）、前端ブロック４（図３参照）側に向かって突出したブロック突出部１１０が設けられている。ブロック突出部１１０の突出方向における先端には、上方に向かって突出した上方突出部２７が設けられている。
また、本実施形態では、軸部２３を中心として上クリーナ支持体２４を図中時計回り方向に回転させ、上ワイヤクリーナ２６をワイヤ電極１１１に押し付ける捩じりばね２５が設けられている。
【００３９】
図７は、移動体１００が前方に移動した後の状態を示した図である。言い換えると、移動体１００が前端ブロック４（図３参照）側に移動した後の状態を示した図である。
本実施形態では、モータ９（図３参照）が駆動すると、移動体１００が、前方に（前端ブロック４側に）移動する。これにより、図７に示すように、上方突出部２７よりも前方にプレート突出部２４ｄが移動し、軸部２３を中心として上クリーナ支持体２４が時計回り方向に回転する。
【００４０】
上クリーナ支持体２４が時計回り方向に回転すると、ワイヤ電極１１１の上方からワイヤ電極１１１に対し、上ワイヤクリーナ２６が押し当てられる。
上ワイヤクリーナ２６がワイヤ電極１１１に押し当てられると、ワイヤ電極１１１が下方に移動する。これにより、ワイヤ電極１１１が、下側電極クリーナ１６、下ワイヤクリーナ２２に押し当てられる。
【００４１】
本実施形態では、ワイヤ電極１１１に、上ワイヤクリーナ２６、下側電極クリーナ１６、下ワイヤクリーナ２２が押し当てられた状態で、また、グリッド電極２９にグリッドクリーナ２０が押し当てられた状態で、移動体１００が前後方向に移動する。
これにより、ワイヤ電極１１１、グリッド電極２９が清掃される。ワイヤ電極１１１、グリッド電極２９の清掃が終了すると、移動体１００は、ホームポジションに戻る。
【００４２】
さらに説明すると、本実施形態では、放電生成物がワイヤ電極１１１、グリッド電極２９に付着する。本実施形態では、移動体１００が前後方向に移動することで、この放電生成物が、上ワイヤクリーナ２６、下側電極クリーナ１６、下ワイヤクリーナ２２、グリッドクリーナ２０によって除去される。
【００４３】
図８は、図７の矢印ＶＩＩＩ方向からグリッド電極２９を眺めた場合の図である。
図８に示すように、グリッド電極２９には、複数の貫通孔２９Ａが形成され網目状に形成された第１の領域２９１が設けられている。
さらに、この第１の領域２９１よりも後端ブロック３（図７参照）側には、図８に示すように、第２の領域２９２が設けられている。第２の領域２９２には貫通孔が形成されておらず、第２の領域２９２は、無垢の板体となっている。なお、本実施形態では、第１の領域２９１と第２の領域２９２との境を、境界２９３と称する。
【００４４】
ここで、本実施形態では、グリッドクリーナ２０（図７参照）が、図８にて示す第１の領域２９１を通過する際、グリッドクリーナ２０に作用する抗力は小さくなる。
本実施形態では、第１の領域２９１に貫通孔２９Ａが形成され、第１の領域２９１とグリッドクリーナ２０との接触面積が小さくなる。このため、グリッドクリーナ２０が第１の領域２９１を通過する際にグリッドクリーナ２０に作用する抗力は小さくなる。
【００４５】
これに対し、グリッド電極２９の第２の領域２９２をグリッドクリーナ２０が通過する際には、グリッドクリーナ２０に作用する抗力は大きくなる。
第２の領域２９２には貫通孔が形成されておらず、第２の領域２９２とグリッドクリーナ２０との接触面積は大きい。
この結果、グリッドクリーナ２０が第２の領域２９２を通過する際にグリッドクリーナ２０に作用する抗力は、グリッドクリーナ２０が第１の領域２９１を通過する際にグリッドクリーナ２０に作用する抗力よりも大きくなる。
【００４６】
図９は、移動体１００がホームポジションに戻る際の移動体１００を示した図である。
移動体１００がホームポジションに戻る際、移動体１００は、図中矢印９Ａで示す一方向へ移動する（以下、この一方向を「戻り方向」と称する）。
移動体１００が戻り方向へ移動すると、図中矢印９Ｘで示すように、グリッド電極２９の第１の領域２９１上に位置するグリッドクリーナ２０が、この第１の領域２９１よりも戻り方向における下流側に位置する第２の領域２９２に向かう。
また、移動体１００が戻り方向へ移動すると、図９に示すように、移動体１００に設けられた上クリーナ支持体２４が、帯電装置１３の本体１３Ａ側に設けられたブロック突出部１１０の先端に突き当たる。
【００４７】
これにより、本実施形態では、移動体１００が、本体１３Ａ側から駆動力を受け、移動体１００は、この駆動力を用い、上ワイヤクリーナ２６をワイヤ電極１１１から離間させる。
より具体的には、本実施形態では、上クリーナ支持体２４がブロック突出部１１０の先端に突き当たることにより、上クリーナ支持体２４が駆動力を受け、図中矢印９Ｂに示すように、反時計回り方向に回転する。
【００４８】
上クリーナ支持体２４が反時計回り方向に回転すると、上クリーナ支持体２４の先端に設けられた上ワイヤクリーナ２６がワイヤ電極１１１から離間する。
なお、上ワイヤクリーナ２６がワイヤ電極１１１から離間すると、ワイヤ電極１１１が変位し（軸部２３側に変位し）、これに伴い、ワイヤ電極１１１が、下側電極クリーナ１６、下ワイヤクリーナ２２から離間する。
【００４９】
ここで、本実施形態では、移動体１００がブロック突出部１１０の先端に突き当たる際、図９の符号９Ｃで示すように、グリッドクリーナ２０は、グリッド電極２９の第１の領域２９１に位置する。
付言すると、移動体１００がブロック突出部１１０の先端に突き当たる際、グリッドクリーナ２０は、第２の領域２９２に位置せず、第２の領域２９２よりも上流側（戻り方向における上流側）に位置する第１の領域２９１に位置する。
さらに説明すると、本実施形態では、グリッド電極２９の第２の領域２９２にグリッドクリーナ２０が達する前に、移動体１００が、帯電装置１３の本体１３Ａ側のブロック突出部１１０に突き当たる。
【００５０】
さらに説明すると、本実施形態では、グリッドクリーナ２０の上流側端部２０Ａおよび下流側端部２０Ｂが、グリッド電極２９の第２の領域２９２に達する前に、移動体１００がブロック突出部１１０に突き当たる。
【００５１】
本実施形態のグリッドクリーナ２０は、戻り方向における上流側に上流側端部２０Ａを有し、戻り方向における下流側に下流側端部２０Ｂを有し、移動体１００が戻り方向へ移動する際、移動体１００は、下流側端部２０Ｂを先頭として移動を行い、また、上流側端部２０Ａが下流側端部２０Ｂに続くように移動を行う。
本実施形態では、この上流側端部２０Ａおよび下流側端部２０Ｂが、グリッド電極２９の第２の領域２９２に達する前に、移動体１００が、ブロック突出部１１０に突き当たる。
【００５２】
ここで、図９の破線９Ｄで示すように、グリッドクリーナ２０が、グリッド電極２９の第２の領域２９２に達している状態にて、移動体１００がブロック突出部１１０に突き当たる場合、移動体１００がブロック突出部１１０に突き当たった瞬間に、移動体１００に作用する負荷が急激に大きくなる。かかる場合、移動体１００が動きにくくなったり、移動体１００が停止したりするおそれがある。
これに対し、本実施形態の構成では、移動体１００がブロック突出部１１０に突き当たる際、グリッドクリーナ２０は第２の領域２９２に未だ達しておらず、移動体１００に作用する負荷は小さくなる。
【００５３】
なお、上記では、上流側端部２０Ａおよび下流側端部２０Ｂの両者が、グリッド電極２９の第２の領域２９２に達する前に、移動体１００がブロック突出部１１０に突き当たる場合を説明した。
ところで、これは一例であり、図９の符号９Ｅに示すように、下流側端部２０Ｂが第２の領域２９２に達している場合であっても、上流側端部２０Ａが第２の領域２９２に未だ達していなければ、移動体１００がブロック突出部１１０に突き当たる際に移動体１００に作用する負荷は小さくなる。
言い換えると、下流側端部２０Ｂおよび上流側端部２０Ａの両者が第２の領域２９２に達している状態にて移動体１００がブロック突出部１１０に突き当たる場合に比べ、移動体１００に作用する負荷を減らせる。
【００５４】
なお、図１０（帯電装置の他の構成例を示した図）に示すように、上流側端部２０Ａおよび下流側端部２０Ｂが、グリッド電極２９の第２の領域２９２に達する前に、上ワイヤクリーナ２６がワイヤ電極１１１から離間する構成としてもよい。
グリッドクリーナ２０が第２の領域２９２に達すると、移動体１００に作用する負荷が増えるが、このときに、ワイヤ電極１１１から上ワイヤクリーナ２６が離間していると、移動体１００に作用する負荷が減り、移動体１００がより円滑に移動する。
【００５５】
なお、上記と同様、下流側端部２０Ｂが第２の領域２９２に達し、上流側端部２０Ａが未だ第２の領域２９２に達していない状態のときに、上ワイヤクリーナ２６をワイヤ電極１１１から離間させる構成としてもよい。
【００５６】
また、図示は省略するが、上流側端部２０Ａおよび下流側端部２０Ｂが、グリッド電極２９の第２の領域２９２に達する前に、プレート突出部２４ｄ（図１０参照）が、ブロック突出部１１０の上方突出部２７を乗り越える構成としてもよい。
【００５７】
グリッドクリーナ２０（の上流側端部２０Ａおよび下流側端部２０Ｂ）が第２の領域２９２に達している状態にて、プレート突出部２４ｄが上方突出部２７を乗り越える構成であると、プレート突出部２４ｄが上方突出部２７を乗り越える際に、移動体１００が移動しにくくなったり、移動体１００が停止したりするおそれがある。
【００５８】
グリッドクリーナ２０の上流側端部２０Ａ、下流側端部２０Ｂの両者が第２の領域２９２に達する前に、プレート突出部２４ｄが上方突出部２７を乗り越える構成であると、移動体１００が作用する負荷が減り、移動体１００は移動しやすくなる。
なお、上記と同様、下流側端部２０Ｂが第２の領域２９２に達し、上流側端部２０Ａが未だ第２の領域２９２に達していない状態のときに、プレート突出部２４ｄが上方突出部２７を乗り越える構成としてもよい。
【００５９】
また、上記では、第２の領域２９２が無垢の板体により構成された場合を一例に説明したが、図１１（グリッド電極２９の他の構成例を示した図）に示すように、第２の領域２９２にも貫通孔２９Ｂを形成してもよい。
ここで、この図１１に示す構成例では、第２の領域２９２に、菱形の貫通孔２９Ｂを複数形成している。また、この例では、単位面積当たりの貫通孔の形成割合を比べた場合（単位面積当たりに形成されている貫通孔の総面積で形成割合を比べた場合）に、第２の領域２９２における貫通孔２９Ｂの形成割合の方が、第１の領域２９１における貫通孔２９Ａの形成割合よりも小さくなっている。
【００６０】
第２の領域２９２に貫通孔２９Ｂを形成した場合、第２の領域２９２が無垢である場合（第２の領域２９２に貫通孔２９Ｂが形成されていない場合）に比べ、グリッドクリーナ２０と第２の領域２９２との接触面積が低下する。
そして、この場合、第２の領域２９２上をグリッドクリーナ２０が移動する際に移動体１００に作用する負荷が低減する。
【００６１】
なお、図１１にて破線２９Ｃで示すように、第２の領域２９２には、大きな貫通孔を１つ形成してもよいが、この場合、グリッド電極２９が変形しやすくなる。特に本実施形態では、グリッド電極２９に張力が付与されており、グリッド電極２９は変形しやすい。グリッド電極２９が変形すると、帯電性能に影響を与える。
このため、第２の領域２９２には、１つの大きな貫通孔を形成するのではなく、複数の貫通孔２９Ｂを設けるようにして、第２の領域２９２の剛性を確保することが好ましくなる。
【００６２】
なお、第２の領域２９２に設けられる複数の貫通孔２９Ｂの各々は、菱形に限らず、長方形、正方形、三角形、円形、楕円形など他の形状としてもよい。
また、第２の領域２９２には、図１２（グリッド電極２９の他の構成例を示した図）に示すように、例えば、グリッド電極２９の長手方向に沿う長穴状の貫通孔２９Ｂを複数設けてもよい。なお、この図１２に示す構成例では、複数設けられたこの貫通孔２９Ｂは、グリッド電極２９の短手方向に並んでいる。
【００６３】
（その他）
上記では、カラーの画像形成装置を一例に説明したが、上記にて説明した各構成は、モノクロの画像形成装置に適用してもよい。さらに、上記では、タンデム型の画像形成装置を一例に説明したが、上記にて説明した各構成は、ロータリ型の画像形成装置に適用してもよい。
さらに、上記では、螺旋状の突出部６ａを有するシャフト６を用いて移動体１００を移動させたが、他の公知の機構を用いて移動体１００を移動させてもよい。
【００６４】
また、シールド電極２の内面に接触する清掃部材を設けて、シールド電極２の内面を清掃してもよい。さらに、グリッド電極２９の下面に接触する清掃部材を設けて、グリッド電極２９の両面を清掃してもよい。
【符号の説明】
【００６５】
１…画像形成装置、１１１…ワイヤ電極、１２…感光体ドラム、１３…帯電装置、１４…露光装置、１５…現像装置、２０…グリッドクリーナ、２０Ａ…上流側端部、２０Ｂ…下流側端部、２６…上ワイヤクリーナ、２９…グリッド電極、２９Ａ…貫通孔、２９Ｂ…貫通孔、１００…移動体、１１０…ブロック突出部、２９１…第１の領域、２９２…第２の領域
【図１】
0006623781.tif 000002
【図２】
0006623781.tif 000003
【図３】
0006623781.tif 000004
【図４】
0006623781.tif 000005
【図５】
0006623781.tif 000006
【図６】
0006623781.tif 000007
【図７】
0006623781.tif 000008
【図８】
0006623781.tif 000009
【図９】
0006623781.tif 000010
【図１０】
0006623781.tif 000011
【図１１】
0006623781.tif 000012
【図１２】
0006623781.tif 000013